(57)【要約】【課題】  道路境界等を表現し、小型で、保守性がよく、低コストで、注意喚起性のよい反射装置を提供することにある。【解決手段】注意喚起性を改善するため動く反射体としたものである。そのため、風車を設け、その回転により反射体が動くようにしている。【選択図】  図１
2005049805.tif 000002
【特許請求の範囲】
【請求項１】
風を受けて回転可能な羽根を有する風車と前記風車の回転に連動して動き、光を受けて反射する反射体とを構成に含む事を特徴とする風車型反射装置。
【請求項２】
前記風車は、垂直軸型風車であることを特徴とする請求項１記載の風車型反射装置。
【請求項３】
前記反射体は、一般道路、高速道路等の道路に対応して要求される視認可能な限界距離に対応するサイズを有することを特徴とする請求項１又は請求項２記載の風車型反射装置。
【請求項４】
前記反射体は、複数の異なる色の組み合わせでなることを特徴とする請求項１〜請求項３のいずれか１つに記載の風車型反射装置。
【請求項５】
前記反射体は、軽く、貼り付け加工性のよい固体又はフィルム状の合成樹脂からなることを特徴とする請求項１〜請求項４のいずれか１つに記載の風車型反射装置。
【請求項６】
前記風車と前記反射体を支持する筺体に他と連結する結合部を有することを特徴とする請求項１〜請求項５のいずれか１つに記載の風車型反射装置。
【請求項７】
連結線により前記結合部を介して複数個接続されたことを特徴とする請求項６記載の風車型反射装置。
【請求項８】
前記風車と前記反射体を支持する筺体に、筒体を付設したことを特徴とする請求項１〜請求項６のいずれか１つに記載の風車型反射装置。
【請求項９】
前記風車と前記反射体を支持する筺体が、
雨水の浸入を入り難いように傘状に構成したこと、
前記風車の前記羽根を支持する軸の把持体を下側に向かって広がるように構成すること、
水抜き穴を有すること、
人の踏みつけ以上の重量や衝撃に耐える構造を有すること、
及び、回転軸と軸の接触面が、
汚れ防止のブラシ等を有すること、
磨耗、錆に強い材質で構成すること、
の全て又はいずれかを満たすことを特徴とする請求項１〜請求項８のいずれか１つに記載の風車型反射装置。
【請求項１０】
車、自動二輪車、自転車等の移動体に付設された風車型反射装置であって、移動体の走行による空気の流れにより前記風車及び前記反射体が回転し、周辺光を反射して動く反射光を発生するようにしたことを特徴とする請求項１〜請求項５と請求項９のいずれか１つに記載の風車型反射装置
【発明の詳細な説明】
【技術分野】
【０００１】    本発明は、外光を反射することで、道路境界、家の境界等について、車等の運転者に注意を喚起させる反射装置に関する。
【背景技術】
【０００２】    従来、境界に設置して、交通上の注意を喚起するものは、至る所で目にすることができる。技術の発展とともに、その形態も変わりつつあるのが現状である。図１０は、道路でよく見かける反射体を有するものである。夜間、車等の交通移動体のライトの反射を受けて、光るもので注意を喚起するものである。１０−ａは、筒体１０１に反射体１０２が１個ついたもので、１０−ｂは、反射体１０２が複数ついたものである。１０−ｃは、筺体１０３の中に反射体１０２が付いたものである。【０００３】    図１１は、従来のものであるが、更に発展型の注意喚起装置である。１１−ａは、筒体１１１に反射体１１２が付いていて、更に、ＬＥＤ１１３があり、これを電池１１４と制御基板１１５で駆動して、点滅を行うものである。この進歩性は、動かない光には、注意は行き難いという人間の感覚特性に対応し、点滅により動く光を作っていることである。【０００４】    図１１の１１−ｂは、１１−ａを更に発展させて、我々が先に提案したものであるが、１１−ａの電池切れで電池を交換する保守上の煩わしさを解消したものであり、筒体１１１に内蔵した風車１１６を有する風力発電機により発電し、充電された電力を夜間にＬＥＤ１１３を点滅するように構成したものである。
【発明の開示】
【発明が解決しようとする課題】
【０００５】    従来の例では、解決すべき以下の欠点があった。即ち、図１０の従来品では、反射体の出す光が動かないことにより、注意喚起性が薄弱であること、図１１の従来品では、１１−ａでは電池切れの心配と、１１−ｂでは、ＬＥＤを点滅するためには、風力発電機の風車１１６がある程度大きなサイズを必要とすることと、本願が提唱するものに比べ、効果が同じで、コスト高になるということがあった。しかして、本願は、保守性がよく、低コストで、注意喚起性のよい装置を提供することにある。
【課題を解決するための手段】
【０００６】    本発明は、従来品の欠点を克服するものであり、注意喚起性を改善するため動く反射体としたものである。そのため、風車を設け、その回転により反射体の動くようにしている。
請求項１に記載の発明は、風車型反射装置であって、風を受けて回転可能な羽根を有する風車と前記風車の回転に連動して動き、光を受けて反射する反射体とを構成に含む事を特徴とする。【０００７】請求項２に記載の発明は、請求項１記載の風車型反射装置において、前記風車は、垂直軸型風車であることを特徴とする。【０００８】請求項３に記載の発明は、請求項１又は請求項２記載の風車型反射装置において、前記反射体は、一般道路、高速道路等の道路に対応して要求される視認可能な限界距離に対応するサイズを有することを特徴とする。【０００９】請求項４に記載の発明は、請求項１〜請求項３のいずれか１つに記載の風車型反射装置において、前記反射体は、複数の異なる色の組み合わせでなることを特徴とする。【００１０】請求項５に記載の発明は、請求項１〜請求項４のいずれか１つに記載の風車型反射装置において、前記反射体は、軽く、貼り付け加工性のよい固体又はフィルム状の合成樹脂からなることを特徴とする。【００１１】請求項６に記載の発明は、請求項１〜請求項５のいずれか１つに記載の風車型反射装置において、前記風車と前記反射体を支持する筺体に他と連結する結合部を有することを特徴とする。【００１２】請求項７に記載の発明は、請求項６記載の風車型反射装置において、連結線により前記結合部を介して複数個接続されたことを特徴とする。【００１３】請求項８に記載の発明は、請求項１〜請求項６のいずれか１つに記載の風車型反射装置において、前記風車と前記反射体を支持する筺体に、筒体を付設したことを特徴とする。【００１４】請求項９に記載の発明は、請求項１〜請求項８のいずれか１つに記載の風車型反射装置において、
前記風車と前記反射体を支持する筺体が、
雨水の浸入を入り難いように傘状に構成したこと、
前記風車の前記羽根を支持する軸の把持体を下側に向かって広がるように構成すること、
水抜き穴を有すること、
人の踏みつけ以上の重量や衝撃に耐える構造を有すること、
及び、回転軸と軸の接触面が、
汚れ防止のブラシ等を有すること、
磨耗、錆に強い材質で構成すること、
の全て又はいずれかを満たすことを特徴とする。【００１５】請求項１０に記載の発明は、請求項１〜請求項５と請求項９のいずれか１つに記載の風車型反射装置において、車、自動二輪車、自転車等の移動体に付設された風車型反射装置であって、移動体の走行による空気の流れにより前記風車及び前記反射体が回転し、周辺光を反射して動く反射光を発生するようにしたことを特徴とする。
【発明の効果】
【００１６】    以上のように、反射体が風車の回転とともに動くので、車等の光を受けて、反射光が動いたり、反射体の色に応じて、反射光の色が変わったりするため、極めて注意喚起性がよく、風車と反射体以外の特別の要素を必要しないため、作りやすくコストが低いという利点がある。一方、要求される仕様としては、視認可能な反射部のサイズを守ればよいので、１１−ｂの風力発電機を使うよりも、はるかに小型に作ることができるため、単純で優れた装置が得られる。
【発明を実施するための最良の形態】
【００１７】    本願の本質は、注意喚起性を得るためには、ＬＥＤを点滅することではなく、光又は光点を移動させることであるということである。点けっぱなしのネオンサイン表示より、点いたり消えたり、文字が動いたりと変化・移動する光点により注意を喚起され、視認性が大幅に上昇するのは、人の感覚の性質である。従って、光が変化や移動すれば、反射体でも十分に効果を発揮することができることである。従って、本願は、風により回転移動する風車とそれに連れて、移動する反射体からなっていて、車等のライトを受けて、反射光が動くことができる。以下、本発明を実施するための最良の形態について実施例を用いて説明する。
【実施例１】
【００１８】    図１は、本発明の風車型反射装置の一実施態様を示す図である。筺体１０に風車の羽根１１が内蔵され、羽根１１の表面には、反射板又は反射塗料塗布体又は反射フィルム等の反射体１２が形成されている。風を受けて回転すると、車等の光を効率よく反射し、動く反射光を形成する。
【実施例２】
【００１９】    図２は、本発明の風車型反射装置の別の一実施態様を示す図である。この例では、羽根２１とは別に、羽根２１の回転に連れて動く面に反射体２２が形成されている。
【実施例３】
【００２０】    図１、図２は垂直軸型の風車であったが、図３は、水平軸型の風車に適用したものであり、羽根３１の面に反射体３２が付設してある。水平軸型では、風が強いと高速回転しやすくなるので、反射面が目の残像により、一様になり易い。このため光が動いているようには見えなくなる場合があることに難点がある。従って、高速回転になり難い垂直軸型の風車の方が、本発明の風車型反射装置としては有利である。
【実施例４】
【００２１】    図４は、本発明の風車型反射装置の別の一実施態様を示す図である。本質的には、図１の例と変わらないが、中心軸に結合部４０が付いている。結合部４０は、例えば、穴の形状で、棒や鎖を通しやすい様になっていても、他の部分に接続できるネジ状であってもよい。
【実施例５】
【００２２】    図５は、図１の風車型反射装置を筒体５０に付設したものである。これは、視認性のよい高さに筒体５０の長さを決めることができる。
【実施例６】
【００２３】    図６は、図５の筒体付きの風車型反射装置を両端にして、その間にチェーン、ワイヤ等の連結線６０を張り、図４の風車型反射装置の複数個を連結線６０の間に付設したもので、連結線６０の内側が工事場所だったり、個人宅の領域だったり、道路境界だったりすることを表示して、注意を喚起して車等が飛び込む恐れを少なくしている。
【実施例７】
【００２４】    図７は、車の前又は後ろに、図１又は図４の風車型反射装置７０を付設したもので、車の移動で、風車が回転して、羽根についた反射体が「ちらちら」動いて、周りの車に存在を知らせ、衝突等の危険を回避するものである。
【実施例８】
【００２５】    図８は、図１の風車型反射装置に改善をした一実施態様の図である。筺体８０は、上側が大きくなっていて、傘のように雨が羽根８１の収容部に入り難い形状になっている。羽根８１には、反射体８２が付設してある。更に、羽根８１の回転軸又は、それを支える回転支持体８３が羽根８１から遠い程（図では下程）、円錐状に広くなっている。このため、横から入った水滴は、下側に向かって移動し、水抜き穴８４から排出される。尚、８５は、羽根８１の回転軸と軸の接触面につく、土埃等を回転と同時に払い落とすためのブラシ等である。同様に、回転軸と軸の接触面は、磨耗や錆に強い材質で構成することが重要である。図８の風車型反射装置は図９に示すように使用され、往々にして通行する人に踏まれる等の負荷をこうむるので、衝撃や重量に対する筺体の耐久性も重要な要素となる。【００２６】    図９は、図８の風車型反射装置９０を道路や家の境界にある境界区分構造体９１の上に複数個設置したもので、これが例えば、道路に沿ってあることで、動く反射光により、夜間の道路を車が走るときに道路を外れて脱輪や事故になる危険性を回避できる。【００２７】    以上のように、種々の用途が見込まれるが、視認のための限界距離が長く必要な高速道路では、一般道路より反射体のサイズを大きく設定する必要があるが、反射体の色を複数にすることも可能であり、回転による反射光の動きと相俟って、注意喚起性が改善される。反射体としては、風車の羽根に付設するために、経年劣化が少なく、貼り付け加工性のよい素材、例えば、柔軟なフィルム状の合成樹脂で作成されることが重要である。特に風車の回転に関する部分の磨耗や錆への耐性や、人の踏みつけや衝撃への耐性も製品の品質確保には重要である。このような条件を守れば、小型かつ低コストで実現できるため、多くの応用が期待できる。
【産業上の利用可能性】
【００２８】    以上のように、風により回転する風車に連動して反射体従って反射光が動くので、車等の運転者にとって、注意を喚起することができ、視認性が改善できる。道路や、建造物の境界を顕示させ、注意喚起信号を送る必要がある交通分野には大きな利用可能性がある。
【図面の簡単な説明】
【００２９】
【図１】  本発明による風車型反射装置の一実施態様を示す図である。
【図２】  本発明による風車型反射装置の別の実施態様を示す図である。
【図３】  本発明による風車型反射装置の別の実施態様を示す図である。
【図４】  本発明による風車型反射装置の別の実施態様を示す図である。
【図５】  図１の風車型反射装置をポールに適用した実施態様を示す図である。
【図６】  図４と図５の風車型反射装置をチェーンに適用した実施態様を示す図である。
【図７】  図１又は図４の風車型反射装置を車に設置した実施態様を示す図である。
【図８】  図１の形状を改良した風車型反射装置の一実施態様を示す図である。
【図９】  図８の風車型反射装置を境界区分構造体に適用した実施態様を示す図である。
【符号の説明】
【００３０】  １０、８０、１０３・・・筺体
１１、２１、３１、８１・・・羽根
１２、２２、３２、８２、１０２、１１２・・・反射体
４０・・・結合部
５０、１０１、１１１・・・筒体
６０・・・連結線
７０、９０・・・風車型反射装置
８３・・・回転支持体
８４・・・水抜き穴
８５・・・ブラシ等
９１・・・境界区分構造体
１１３・・・ＬＥＤ
１１４・・・電池
１１５・・・制御基板
１１６・・・風車
【図１】
2005049805.tif 000003
【図２】
2005049805.tif 000004
【図３】
2005049805.tif 000005
【図４】
2005049805.tif 000006
【図５】
2005049805.tif 000007
【図６】
2005049805.tif 000008
【図７】
2005049805.tif 000009
【図８】
2005049805.tif 000010
【図９】
2005049805.tif 000011
【図１０】
2005049805.tif 000012
【図１１】
2005049805.tif 000013
【手続補正書】
【提出日】平成16年1月6日(2004.1.6)
【手続補正１】
【補正対象書類名】明細書
【補正対象項目名】００２９
【補正方法】変更
【補正の内容】
【００２９】
【図１】本発明による風車型反射装置の一実施態様を示す図である。
【図２】本発明による風車型反射装置の別の実施態様を示す図である。
【図３】本発明による風車型反射装置の別の実施態様を示す図である。
【図４】本発明による風車型反射装置の別の実施態様を示す図である。
【図５】図１の風車型反射装置をポールに適用した実施態様を示す図である。
【図６】図４と図５の風車型反射装置をチェーンに適用した実施態様を示す図である。
【図７】図１又は図４の風車型反射装置を車に設置した実施態様を示す図である。
【図８】図１の形状を改良した風車型反射装置の一実施態様を示す図である。
【図９】図８の風車型反射装置を境界区分構造体に適用した実施態様を示す図である。
【図１０】反射体を有する従来の反射装置を示す図である。
【図１１】反射体と点滅できるＬＥＤを有する従来の反射装置を示す図である。